(57)【要約】【課題】上下方向の小型化を実現できる画像読取装置を提供する。【解決手段】供給トレイ９１は、供給トレイ９１に支持されるシートＳＨの減少に応じて第１位置から第２位置に移動するように構成された可動板５０を含む。排出ユニット６０は排出口６９を有し、供給トレイ９１に支持されるシートＳＨの減少に応じて第３位置から第４位置に移動するように構成される。画像読取装置１は、排出トレイ９６におけるシート支持面９６Ａと排出口６９との間に位置し、排出方向Ｄ１を向く突き当て面６８をさらに備える。突き当て面６８は、排出ユニット６０が第３位置から第４位置に向けて移動するときに排出ユニット６０とともに上方に移動可能な第１移動面７１と、第１移動面７１に追従することにより、倒伏する位置から第１移動面７１よりも下方で起立する位置に移動可能な第２移動面８２と、を有する。【選択図】図７
2019147648.tif 000002
【特許請求の範囲】
【請求項１】
供給されるシートを支持するための供給トレイであって、当該供給トレイに支持されるシートの減少に応じて第１位置から前記第１位置よりも上方の第２位置に移動するように構成された可動板を含む前記供給トレイと、
前記供給トレイの下方に位置し、排出されるシートを支持するための排出トレイと、
前記供給トレイから前記排出トレイに向けてシートを搬送するための搬送ガイドと、
前記搬送ガイド上を搬送されるシートの画像を読み取るための読取センサと、
前記搬送ガイドによって搬送されたシートを前記排出トレイに排出するための排出口を有し、前記供給トレイに支持されるシートの減少に応じて第３位置から前記第３位置よりも上方の第４位置に移動するように構成された排出ユニットと、
を備えた画像読取装置であって、
前記排出トレイにおけるシート支持面と前記排出口との間に位置し、シートが前記排出トレイに排出される排出方向を向く突き当て面をさらに備え、
前記突き当て面は、前記排出ユニットが前記第３位置から前記第４位置に向けて移動するときに前記排出ユニットとともに上方に移動可能な第１移動面と、
前記第１移動面に追従することにより、倒伏する位置から前記第１移動面よりも下方で起立する位置に移動可能な第２移動面と、を有していることを特徴とする画像読取装置。
【請求項２】
前記排出ユニットは、排出ローラと、
前記排出ローラに向けてシートを案内する排出ガイドと、
前記排出ガイドに設けられ、前記第１移動面を有する第１壁と、
前記第１壁に連結され、前記第２移動面を有する第２壁と、を有している請求項１記載の画像読取装置。
【請求項３】
前記排出ユニットを移動可能に支持するフレーム部材を備え、
前記第２壁は、前記排出ローラの軸方向と平行な回動軸心周りに回動可能に前記第１壁に連結され、
前記フレーム部材には、前記第２壁が移動するときに前記第２壁を案内する第２壁ガイドが設けられている請求項２記載の画像読取装置。
【請求項４】
前記第２壁は、突起を有し、
前記第２壁ガイドは、前記第２壁の前記突起が進入するように設けられ、前記第２壁の前記突起が摺動するガイド溝を有している請求項３記載の画像読取装置。
【請求項５】
前記第１壁は、前記排出ガイドにおける前記排出口側の端部に一体に形成されている請求項１乃至４のいずれか１項記載の画像読取装置。
【請求項６】
前記突き当て面に隣接する位置で前記シート支持面から上向きに突出するリブを備えている請求項１乃至５のいずれか１項記載の画像読取装置。
【請求項７】
前記リブは、前記突き当て面よりも前記排出方向の下流側に位置している請求項６記載の画像読取装置。
【発明の詳細な説明】
【技術分野】
【０００１】
本発明は画像読取装置に関する。
【背景技術】
【０００２】
特許文献１に従来の画像読取装置の一例である原稿送り装置が開示されている。この原稿送り装置は、給紙トレイ、排紙トレイ及び搬送ガイドを備えている。給紙トレイは、供給される原稿を支持する。排紙トレイは、給紙トレイの下方に位置し、排出される原稿を支持する。搬送ガイドは、給紙トレイから排紙トレイに向けて原稿を搬送する。搬送ガイドの途中には、搬送ガイド上を搬送される原稿の画像を読み取るための画像読取位置が設定されている。
【０００３】
給紙トレイは、給紙トレイに支持されるシートの減少に応じて上向きに移動して原稿ピックアップ部に接近する。原稿送り装置は、さらに揺動搬送部を有している。揺動搬送部は、搬送ガイドによって搬送された原稿を排紙トレイに排出するための排出口を有している。揺動搬送部は、給紙トレイに支持される原稿の減少に応じて上向きに移動して排出口を排紙トレイから離間させる。具体的には、給紙トレイと揺動搬送部との間にリンク部材が架設されており、揺動搬送部の排出口が給紙トレイの昇降に応じて昇降する。
【０００４】
揺動搬送部における排出口よりも下方の位置には、揺動搬送部と一体で昇降する仕切り部材が設けられている。仕切り部材には、シートが排紙トレイに排出される排出方向を向く突き当て面が形成されている。排紙トレイよりも下方には、突き当て面が進入する収容スペースが確保されている。この収容スペースによって、揺動搬送部が下降したときに、突き当て面が他の部材と干渉することが防止される。
【先行技術文献】
【特許文献】
【０００５】
【特許文献１】特開２００５−８２８３号公報
【発明の概要】
【発明が解決しようとする課題】
【０００６】
ところで、上記の原稿送り装置と同様な構成を備える画像読取装置を想定する。この画像読取装置は、可動体を含む供給トレイと、排出ユニットとを備える。排出ユニットは、排出トレイにシートを排出するための排出口を有する。供給トレイの昇降に応じて排出ユニットの排出口が昇降する。そして、排出トレイにおけるシート支持面と排出口との間には、排出方向を向く突き当て面が設けられる。突き当て面は、排出ユニットと一体で昇降する。排出トレイよりも下方には、突き当て面が進入する収容スペースが確保される。
【０００７】
しかし、この画像読取装置では、上述した収容スペースが必須であることから、排出トレイよりの下方に位置する部分を薄くすることが難しく、その結果、上下方向の小型化が難しいという問題がある。
【０００８】
本発明は、上記従来の実情に鑑みてなされたものであって、上下方向の小型化を実現できる画像読取装置を提供することを目的とする。
【課題を解決するための手段】
【０００９】
本発明の画像読取装置は、供給されるシートを支持するための供給トレイであって、当該供給トレイに支持されるシートの減少に応じて第１位置から前記第１位置よりも上方の第２位置に移動するように構成された可動板を含む前記供給トレイと、
前記供給トレイの下方に位置し、排出されるシートを支持するための排出トレイと、
前記供給トレイから前記排出トレイに向けてシートを搬送するための搬送ガイドと、
前記搬送ガイド上を搬送されるシートの画像を読み取るための読取センサと、
前記搬送ガイドによって搬送されたシートを前記排出トレイに排出するための排出口を有し、前記供給トレイに支持されるシートの減少に応じて第３位置から前記第３位置よりも上方の第４位置に移動するように構成された排出ユニットと、
を備えた画像読取装置であって、
前記排出トレイにおけるシート支持面と前記排出口との間に位置し、シートが前記排出トレイに排出される排出方向を向く突き当て面をさらに備え、
前記突き当て面は、前記排出ユニットが前記第３位置から前記第４位置に向けて移動するときに前記排出ユニットとともに上方に移動可能な第１移動面と、
前記第１移動面に追従することにより、倒伏する位置から前記第１移動面よりも下方で起立する位置に移動可能な第２移動面と、を有していることを特徴とする。
【００１０】
本発明の画像読取装置では、第１移動面が上方に移動していないとき、第２移動面が倒伏する位置にある。この状態では、突き当て面は、主に第１移動面によってシート支持面に支持されたシートを当て止める。
【００１１】
その一方、第１移動面が排出ユニットとともに上方に移動するとき、第２移動面が第１移動面よりも下方で起立する位置に移動する。この状態では、突き当て面は、第１移動面及び第２移動面の協働によってシート支持面に支持されたシートを当て止める。
【００１２】
こうして、突き当て面は、排出トレイのシート支持面に支持されたシートＳＨが排出方向の上流側に向けて位置ずれすることを抑制できる。
【００１３】
ここで、この画像読取装置では、第２移動面が倒伏する位置と起立する位置との間で移動する構成により、排出トレイよりも下方に、第２移動面が進入する収容スペースを設ける必要性が低下するので、排出トレイよりも下方に位置する部分を薄くできる。
【００１４】
したがって、本発明の画像読取装置では、上下方向の小型化を実現できる。
【図面の簡単な説明】
【００１５】
【図１】実施例の画像読取装置の斜視図である。
【図２】実施例の画像読取装置の模式正面図である。
【図３】実施例の画像読取装置のブロック図である。
【図４】実施例の画像読取装置の部分断面図である。
【図５】実施例の画像読取装置の部分断面図である。
【図６】実施例の画像読取装置の模式上面図である。
【図７】図６の矢視Ｙ方向から見た可動板、排出ユニット、第１駆動源、第１駆動列及び第２駆動列等を示す模式図であって、可動板が第１位置にあり、排出ユニットが第３位置にある状態を示す図である。
【図８】図７と同様の模式図であって、可動板が第２位置に移動し、排出ユニットが第４位置に移動した状態を示す図である。
【図９】図７の矢視Ｖ１方向から見た第１壁、第２壁、第１移動面、第２移動面及びリブ等を示す模式図である。
【図１０】図８の矢視Ｖ２方向から見た第１壁、第２壁、第１移動面、第２移動面及びリブ等を示す模式図である。
【発明を実施するための形態】
【００１６】
以下、本発明を具体化した実施例について図面を参照しつつ説明する。
【００１７】
（実施例）
図１に示すように、実施例の画像読取装置１は、本発明の画像読取装置の具体的態様の一例である。図１では、操作パネル８Ｐが配置される側を装置の前方と規定し、操作パネル８Ｐに向かった場合に左に来る側を左方と規定して、前後、左右及び上下の各方向を表示する。そして、図２以降の各図に示す各方向は、全て図１に示す各方向に対応させて表示する。以下、図１等に基づいて、画像読取装置１が備える各構成要素について説明する。
【００１８】
＜全体構成＞
図１〜図３に示すように、画像読取装置１は、本体部８、開閉部９、画像形成ユニット５、読取ユニット３、自動搬送機構４及び制御部７を備えている。本体部８は、扁平な略箱状体である。図１に示すように、本体部８の前面には、タッチパネル等である操作パネル８Ｐが設けられている。
【００１９】
図２に示すように、画像形成ユニット５は、本体部８内の下部分に収容されている。画像形成ユニット５は、インクジェット方式又はレーザ方式等によりシートに画像を形成する。図２及び図４に示すように、読取ユニット３は、本体部８内の上部分に位置している。読取ユニット３は、原稿の画像を読み取る際に使用される。自動搬送機構４は、開閉部９に設けられている。自動搬送機構４は、供給トレイ９１に支持されたシートＳＨを搬送ガイド３０に沿って順次搬送しながらシートＳＨの画像を読取ユニット３に読み取らせる際に使用される。
【００２０】
図２及び図３に示すように、制御部７は、本体部８内の左側面に沿う位置に収容されている。制御部７は、ＣＰＵ、ＲＯＭ、ＲＡＭを主とするマイクロコンピュータとして構成されている。ＲＯＭには、ＣＰＵが画像読取装置１の各種動作を制御するためのプログラムや、識別処理を実行するためのプログラムなどが格納されている。ＲＡＭは、ＣＰＵが上記プログラムを実行する際に用いるデータや信号を一時的に記録する記憶領域、又はデータ処理の作業領域として使用される。制御部７は、画像形成ユニット５、読取ユニット３、自動搬送機構４及び操作パネル８Ｐを制御する。
【００２１】
図４に示すように、本体部８の上面にはプラテンガラスが配設され、そのプラテンガラスの上面によって大面積の原稿支持面８Ａが形成されている。また、本体部８の上面における原稿支持面８Ａよりも左方には別のプラテンガラスが配設され、その別のプラテンガラスの上面によって、前後方向に細長い読取面８Ｂが形成されている。
【００２２】
原稿支持面８Ａは、静止した状態の原稿の画像を読取ユニット３が読み取る際に、その原稿を下から支持する。読取対象の原稿には、用紙、ＯＨＰシート等であるシートの他、書籍等が含まれる。
【００２３】
読取面８Ｂは、自動搬送機構４によって１枚ずつ搬送されるシートＳＨの画像を読取ユニット３が読み取る際に、その搬送されるシートＳＨに下から接触する。本体部８の上面における原稿支持面８Ａと読取面８Ｂとの間には、ガイド凸部８Ｈが設けられている。ガイド凸部８Ｈは、読取面８Ｂに接触しながら搬送されるシートＳＨをすくい上げて右向きに上り傾斜するように案内する。
【００２４】
なお、本実施例においては、原稿支持面８Ａを使用して画像が読み取られる対象を原稿と記載し、自動搬送機構４により搬送しながら画像が読み取られる対象をシートと記載する。原稿とシートとは、実質的に同じものであってもよい。
【００２５】
図１に示すように、開閉部９は、本体部８の後端部に配設された図示しないヒンジによって、左右方向に延びる開閉軸心Ｘ９周りに揺動可能に支持されている。開閉部９は、図１及び図４等に示す閉じた状態では、原稿支持面８Ａ及び読取面８Ｂを上方から覆っている。図示は省略するが、開閉部９は、その前端部が上方かつ後方に変位するように開閉軸心Ｘ９周りに揺動することにより、原稿支持面８Ａ及び読取面８Ｂを露出させる開放位置に変位する。これにより、ユーザは、読取対象の原稿を原稿支持面８Ａに支持させることができる。
【００２６】
なお、開閉部９の構成や内部構造等について説明する際には、上下方向及び前後方向について、閉じた状態の開閉部９の姿勢を基準とする。
【００２７】
読取ユニット３は、図２〜図５に示すように本体部８内の上部分に収容された読取センサ３Ｓと、図３に示す走査機構駆動源３Ｍと、走査機構駆動源３Ｍに駆動される図示しない走査機構とを有している。読取センサ３Ｓとしては、ＣＩＳ（Ｃｏｎｔａｃｔ  Ｉｍａｇｅ  Ｓｅｎｓｏｒ）やＣＣＤ（Ｃｈａｒｇｅ  Ｃｏｕｐｌｅｄ  Ｄｅｖｉｃｅ）等の周知の画像読取センサが使用される。
【００２８】
図４に示すように、読取センサ３Ｓは、原稿支持面８Ａ及び読取面８Ｂの下方に位置している。図示しない走査機構は、原稿支持面８Ａに支持される原稿の画像を読み取る際に走査機構駆動源３Ｍによって駆動され、読取センサ３Ｓを本体部８内における原稿支持面８Ａの下方で左右方向に往復動させる。また、図示しない走査機構は、自動搬送機構４によって搬送されるシートＳＨの画像を読取センサ３Ｓが読み取る際に走査機構駆動源３Ｍによって駆動され、読取センサ３Ｓを本体部８内における読取面８Ｂの下で停止させる。読取センサ３Ｓが読取面８Ｂの下で停止する位置は、予め定められた静止読取位置である。
【００２９】
図４及び図５に示すように、開閉部９は、ベース部材３９、第１シュート部材３５、第２シュート部材３６及びカバー部材３８を備えている。
【００３０】
ベース部材３９は、開閉部９の底壁を形成している。ベース部材３９には、読取面８Ｂ及びガイド凸部８Ｈに対向する領域が略矩形状に切り欠かれてなる矩形穴３９Ｈが形成されている。ベース部材３９における矩形穴３９Ｈよりも左方に位置する部分には、搬送面３９Ｇが形成されている。搬送面３９Ｇの左端部は、下向きから向きを変えて右向きに下り傾斜するように湾曲している。そして、搬送面３９Ｇは、矩形穴３９Ｈの左端縁まで下り傾斜している。
【００３１】
第２シュート部材３６は、ベース部材３９の左部分の上方に配設されている。第２シュート部材３６には、押圧部材保持部３６Ｆ及び案内面３６Ｇ、３６Ｈが形成されている。押圧部材保持部３６Ｆは、読取面８Ｂに対向する位置で上向きに凹む凹部である。押圧部材保持部３６Ｆには、押圧部材３６Ｐが上下方向に変位可能に保持されている。押圧部材３６Ｐは、読取面８Ｂに接触しながら搬送されるシートＳＨを上から押圧して、そのシートＳＨが読取面８Ｂから浮き上がることを抑制する。案内面３６Ｇは、押圧部材保持部３６Ｆよりも左方に位置している。案内面３６Ｇの左端部は、ベース部材３９の搬送面３９Ｇの左端部に沿って湾曲している。そして、案内面３６Ｇは、ベース部材３９の搬送面３９Ｇの下り傾斜する部分に沿って、右向きに下り傾斜している。案内面３６Ｈは、押圧部材保持部３６Ｆよりも右方に位置している。案内面３６Ｈは、本体部８のガイド凸部８Ｈに沿って右向きに上り傾斜している。
【００３２】
第１シュート部材３５は、第２シュート部材３６の上方に配設されている。第１シュート部材３５には、規制面３５Ｋ及び搬送面３５Ｇが形成されている。規制面３５Ｋは、第１シュート部材３５の右端部から左向きに上り傾斜している。搬送面３５Ｇは、規制面３５Ｋの上端に接続し、左向きに略水平に延びている。搬送面３５Ｇの左端部は、左向きから下向きに向きを変えるように湾曲している。
【００３３】
カバー部材３８は、第１シュート部材３５の上方に配設されている。カバー部材３８には、下向きに突出する複数のリブ３８Ｒの下端縁からなる案内面３８Ｇが形成されている。案内面３８Ｇの右端部は、第１シュート部材３５における規制面３５Ｋと搬送面３５Ｇとの接続部よりも左方にずれた位置で搬送面３５Ｇに上から対向している。案内面３８Ｇは、第１シュート部材３５の搬送面３５Ｇに沿って左向きに略水平に延びている。案内面３８Ｇの左端部は、第１シュート部材３５の搬送面３５Ｇの左端部に沿って湾曲している。
【００３４】
図６に示すように、開閉部９は、第１サイドフレーム９Ａ及び第２サイドフレーム９Ｂを備えている。第１サイドフレーム９Ａ及び第２サイドフレーム９Ｂは、本発明の「フレーム部材」の一例である。
【００３５】
第１サイドフレーム９Ａは、開閉部９の前面側で左右方向に延びるように配置されて、開閉部９の内部フレームの一部を構成している。第２サイドフレーム９Ｂは、開閉部９の後面側で左右方向に延びるように配置されて、開閉部９の内部フレームの一部を構成している。第１サイドフレーム９Ａと第２サイドフレーム９Ｂとは、図４等に示すカバー部材３８の案内面３８Ｇ、第１シュート部材３５の規制面３５Ｋ及び搬送面３５Ｇ、第２シュート部材３６の案内面３６Ｇ、３６Ｈ、並びにベース部材３９の搬送面３９Ｇを挟むように前後方向において対向している。なお、図６では、説明し易くするために、供給トレイ９１の供給トレイ本体９２及び可動板５０の図示を省略している。また、図６では、説明し易くするために、第１駆動源Ｍ１及び第２駆動源Ｍ２の位置を分離ローラ４２の回転軸４２Ｓよりも下方の位置から右方にずらして図示している。
【００３６】
図２、図４及び図５に示すように、開閉部９は、自動搬送機構４の一部を構成する搬送ガイド３０と、搬送ガイド３０に供給されるシートＳＨを支持するための供給トレイ９１と、搬送ガイド３０から排出方向Ｄ１に排出されるシートＳＨを支持するための排出トレイ９６とを備えている。排出方向Ｄ１は右向きの方向である。
【００３７】
図４に示すように、供給トレイ９１は、第１シュート部材３５よりも右方に位置し、かつベース部材３９の右部分の上方に配設されている。供給トレイ９１は、供給トレイ本体９２及び可動板５０を有している。供給トレイ本体９２は、開閉部９の右端部側から左向きに緩やかに下り傾斜している。可動板５０は、供給トレイ本体９２の左端部に隣接するように配置されている。可動板５０は、第１シュート部材３５の規制面３５Ｋに向かって略平板状に延びている。可動板５０は、カバー部材３８の右部分に上から覆われている。供給トレイ９１は、供給トレイ本体９２及び可動板５０によって、自動搬送機構４に供給されるシートＳＨを支持する。
【００３８】
可動板５０は、その右端部が前後方向に延びる第３軸心Ｘ３周りに回動可能に支持されている。図示は省略するが、可動板５０は、図６に示す第１サイドフレーム９Ａ及び第２サイドフレーム９Ｂに回動可能に支持されている。
【００３９】
後で詳しく説明するが、可動板５０は、図６及び図７等に示す第１駆動源Ｍ１及び第１駆動列１１０が作動することにより、供給トレイ９１に支持されるシートＳＨの減少に応じて、図２、図４及び図７に示す第１位置から図５及び図８に示す第２位置に回動するように構成されている。図５等に示す第２位置は、図４等に示す第１位置よりも上方の位置である。
【００４０】
図１及び図４に示すように、供給トレイ本体９２上には、２つの幅規制ガイド９４Ａ、９４Ｂがそれぞれ前後方向にスライド可能に設けられている。前方の幅規制ガイド９４Ａと後方の幅規制ガイド９４Ｂとが互いに接近又は離間することにより、供給トレイ９１に支持されるサイズの異なる複数種類のシートＳＨを前後から挟む。これにより、様々なサイズのシートＳＨを供給トレイ９１における幅方向の中央部を基準として位置決めできる。
【００４１】
図４及び図５に示すように、排出トレイ９６は、ベース部材３９の右部分に形成されている。つまり、排出トレイ９６は、供給トレイ９１よりも下方の位置で、供給トレイ９１に重なるように設けられている。排出トレイ９６には、読取センサ３Ｓによって画像が読み取られ、自動搬送機構４によって搬送されたシートＳＨが排出される。排出トレイ９６の上面は、排出されるシートＳＨを支持するシート支持面９６Ａとされている。
【００４２】
後で詳しく説明するが、ベース部材３９には、シート支持面９６Ａよりも排出方向Ｄ１の上流側で上向きに突出し、かつ前後方向に延びるリブ９９が設けられている。
【００４３】
搬送ガイド３０は、供給トレイ９１から排出トレイ９６に向けてシートＳＨを搬送するための搬送経路を構成している。具体的には、搬送ガイド３０は、第１ガイド３１、第２ガイド３２及び第３ガイド３３を有している。
【００４４】
第１ガイド３１は、第１シュート部材３５の搬送面３５Ｇの略水平に延びる部分と、カバー部材３８の案内面３８Ｇの略水平に延びる部分とを含んで構成されている。第１ガイド３１は、供給トレイ９１から送り出されるシートＳＨを左向きに案内する。
【００４５】
第２ガイド３２は、第１シュート部材３５の搬送面３５Ｇの湾曲する左端部と、カバー部材３８の案内面３８Ｇの湾曲する左端部と、ベース部材３９の搬送面３９Ｇの湾曲する左端部と、第２シュート部材３６の案内面３６Ｇの湾曲する左端部とを含んで構成されている。第２ガイド３２は、第１ガイド３１に接続し、シートＳＨの搬送方向を左向きから右向きに変化させる。
【００４６】
第３ガイド３３は、ベース部材３９の搬送面３９Ｇの下り傾斜する部分と、第２シュート部材３６の案内面３６Ｇの下り傾斜する部分と、第２シュート部材３６の案内面３６Ｈとを含んで構成されている。第３ガイド３３は、第２ガイド３２に接続し、排出トレイ９６に向けてシートＳＨを案内する。
【００４７】
自動搬送機構４は、第３ガイド３３に案内されたシートＳＨを排出ガイド６１によって排出トレイ９６に排出するための排出ユニット６０を有している。排出ガイド６１には、搬送面６１Ｇ及び案内面６１Ｈが形成されている。搬送面６１Ｇは、本体部８のガイド凸部８Ｈよりも右方に位置し、右向きに上り傾斜している。案内面６１Ｈは、第２シュート部材３６の案内面３６Ｈよりも右方に位置している。案内面６１Ｈは、搬送面６１Ｇに沿って右向きに上り傾斜している。排出ガイド６１は、排出トレイ９６にシートＳＨを排出するための排出口６９を有している。排出口６９は、搬送面６１Ｇの右端部と、案内面６１Ｈの右端部との間で開口している。
【００４８】
図６に示すように、排出ユニット６０において、排出ガイド６１は、搬送面６１Ｇが形成された平板と、案内面６１Ｈが形成された平板とが上下方向において対向し、双方の平板の前端縁と後端縁とが前後一対の側板によって接続されてなる略角筒形状部材である。排出ガイド６１は、前後方向に延びる第１軸心Ｘ１を軸心とする軸部６１Ｓ、６１Ｔを有している。第１軸心Ｘ１は、第３軸心Ｘ３と平行である。
【００４９】
前方の軸部６１Ｓは、搬送面６１Ｇ及び案内面６１Ｈの前方かつ左方の角部から前向きに突出する円柱軸である。前方の軸部６１Ｓは、第１サイドフレーム９Ａに回動可能に支持されているとともに、第１サイドフレーム９Ａよりも前方に突出している。
【００５０】
後方の軸部６１Ｔは、搬送面６１Ｇ及び案内面６１Ｈの後方かつ左方の角部から後向きに突出する円柱軸である。後方の軸部６１Ｔは、第２サイドフレーム９Ｂに回動可能に支持されているとともに、第２サイドフレーム９Ｂよりも後方に突出している。
【００５１】
こうして、排出ガイド６１は、第１軸心Ｘ１周りに回動可能となっている。図４に示すように、第１軸心Ｘ１の位置は、搬送ガイド３０の第３ガイド３３と、排出ガイド６１とによって形成される搬送経路と重なるように設定されている。
【００５２】
排出ユニット６０は、排出ローラ４７及び排出ピンチローラ４８を有している。排出ローラ４７は、排出口６９に対して上方に配置されている。排出ピンチローラ４８は、排出口６９に対して下方に配置されている。図９及び図１０に示すように、２組の排出ローラ４７及び排出ピンチローラ４８が互いに前後方向の間隔を有して配設されている。
【００５３】
図６に示すように、排出ローラ４７は、第１軸心Ｘ１と平行な第２軸心Ｘ２を軸心とする回転軸４７Ｓに固定されている。回転軸４７Ｓの前端部は、排出ガイド６１の前方かつ右方の角部に回転可能に支持されている。回転軸４７Ｓの後端部側は、排出ガイド６１の後方かつ右方の角部に回転可能に支持されている。回転軸４７Ｓの後端部は、排出ガイド６１よりも後方に突出している。こうして、排出ローラ４７は、前後方向に延びる第２軸心Ｘ２周りに回転可能に排出ガイド６１に支持されている。前後方向は、本発明の「排出ローラの軸方向」の一例である。
【００５４】
図４及び図７に示すように、排出ピンチローラ４８は、排出ガイド６１の右端部に回転可能に支持され、排出ローラ４７に下から対向している。排出ガイド６１の搬送面６１Ｇ及び案内面６１Ｈは、排出ローラ４７と排出ピンチローラ４８とのニップ位置に向けてシートＳＨを案内する。
【００５５】
後で詳しく説明するが、排出ユニット６０は、図６及び図７等に示す第１駆動源Ｍ１及び第２駆動列１２０が作動することにより、供給トレイ９１に支持されるシートＳＨの減少に応じて、図２、図４及び図７に示す第３位置から、図５及び図８に示す第４位置に回動するように構成されている。図５等に示す第４位置は、図４等に示す第３位置よりも上方の位置である。
【００５６】
また、後で詳しく説明するが、排出ユニット６０には、図４〜図１０に示すように、排出ガイド６１の右端部に一体に形成された第１壁７０と、第１壁７０に連結された第２壁８０とが設けられている。
【００５７】
図４に示すように、自動搬送機構４は、シートＳＨを搬送ガイド３０に沿って搬送するための供給ローラ４１、分離ローラ４２、リタードローラ４２Ａ、第１搬送ローラ４３、第１ピンチローラ４３Ｐ、第２搬送ローラ４４、第２ピンチローラ４４Ｐ、排出ローラ４７及び排出ピンチローラ４８を有している。排出ローラ４７及び排出ピンチローラ４８は、上述した排出ユニット６０の一部である。
【００５８】
図６に示すように、分離ローラ４２の回転軸４２Ｓ、第１搬送ローラ４３の回転軸４３Ｓ及び第２搬送ローラ４４の回転軸４４Ｓは、第１サイドフレーム９Ａ及び第２サイドフレーム９Ｂに回転可能に支持されている。回転軸４２Ｓ、４３Ｓ、４４Ｓのそれぞれの後端部は、第２サイドフレーム９Ｂよりも後方に突出している。
【００５９】
自動搬送機構４は、供給ローラ４１、分離ローラ４２、第１搬送ローラ４３、第２搬送ローラ４４及び排出ローラ４７を駆動するための第２駆動源Ｍ２及び搬送駆動列１３０を有している。なお、本実施例では、図６において、第２駆動源Ｍ２及び搬送駆動列１３０を構成する各ギヤについて、外周面に形成されたギヤ歯の図示を省略している。
【００６０】
第２駆動源Ｍ２は、ステッピングモータである。また、搬送駆動列１３０は、各種ギヤ、プーリ及びタイミングベルト等の駆動力伝達部材を含んでいる。第２駆動源Ｍ２及び搬送駆動列１３０は、第２サイドフレーム９Ｂに設けられている。
【００６１】
搬送駆動列１３０は、第２駆動源Ｍ２からの駆動力を分離ローラ４２の回転軸４２Ｓ、第１搬送ローラ４３の回転軸４３Ｓ及び第２搬送ローラ４４の回転軸４４Ｓに伝達し、分離ローラ４２、第１搬送ローラ４３及び第２搬送ローラ４４を回転させる。また、搬送駆動列１３０は、第２駆動源Ｍ２からの駆動力を排出ローラ４７の回転軸４７Ｓに伝達し、排出ローラ４７を回転させる。なお、図６では、分離ローラ４２等の搬送系部品の図示を省略している。
【００６２】
図４に示すように、分離ローラ４２は、第１シュート部材３５における規制面３５Ｋと搬送面３５Ｇとの接続部よりも左方にずれた位置に配置されている。
【００６３】
分離ローラ４２の回転軸４２Ｓには、ホルダ４２Ｆが回動可能に支持されている。ホルダ４２Ｆは、回転軸４２Ｓから離間して規制面３５Ｋを越えるように右方に突出している。
【００６４】
供給ローラ４１は、ホルダ４２Ｆの右端部に回転可能に保持されている。供給ローラ４１は、可動板５０に上から対向する位置に設けられている。回転軸４２Ｓと、ホルダ４２Ｆ内に設けられた図示しない伝達ギヤ群とは、第２駆動源Ｍ２からの駆動力を供給ローラ４１に伝達して、供給トレイ９１に支持されたシートＳＨを搬送ガイド３０に送り出す方向に供給ローラ４１を回転させる。供給ローラ４１は、ホルダ４２Ｆの回動に伴って上下方向に変位可能である。
【００６５】
開閉部９内には、ホルダ姿勢検知センサ４２Ｊが設けられている。ホルダ姿勢検知センサ４２Ｊは、ホルダ４２Ｆの姿勢が図４及び図５に示す適正な姿勢となっているか否かを検知し、制御部７に伝達する。ホルダ４２Ｆが図４及び図５に示す適正な姿勢となっている状態では、供給ローラ４１の下端が第１シュート部材３５の搬送面３５Ｇと略同じ高さにある。この状態において、供給ローラ４１は、供給トレイ９１に支持されたシートＳＨのうちの最上位のシートＳＨを搬送面３５Ｇに向けて、すなわち、分離ローラ４２とリタードローラ４２Ａとの間に向けて、好適に送り出すことができる。
【００６６】
リタードローラ４２Ａは、分離ローラ４２の真下の位置で第１シュート部材３５に支持され、分離ローラ４２に向けて押圧されている。分離ローラ４２とリタードローラ４２ＡとにニップされるシートＳＨが１枚であれば、図示しないトルクリミッタによりリタードローラ４２Ａの回転が許容される。その一方、分離ローラ４２とリタードローラ４２ＡとにニップされるシートＳＨが複数枚であれば、図示しないトルクリミッタによりリタードローラ４２Ａの回転が停止される。その結果、リタードローラ４２Ａは、分離ローラ４２に接触するシートＳＨ以外のシートＳＨに対し、そのシートＳＨの搬送を止める力を付与する。
【００６７】
第１搬送ローラ４３は、第１シュート部材３５の搬送面３５Ｇに上から対向するように、第１ガイド３１と第２ガイド３２との接続部に配置されている。第１ピンチローラ４３Ｐは、第１シュート部材３５に支持され、第１搬送ローラ４３に向けて押圧されている。第１搬送ローラ４３及び第１ピンチローラ４３Ｐは、分離ローラ４２及びリタードローラ４２Ａによって１枚ずつに分離されたシートＳＨをニップし、第２ガイド３２に向けて搬送する。
【００６８】
第２搬送ローラ４４は、第２シュート部材３６の案内面３６Ｇに下から対向するように、第２ガイド３２と第３ガイド３３との接続部に配置されている。第２ピンチローラ４４Ｐは、第２シュート部材３６に支持され、第２搬送ローラ４４に向けて押圧されている。第２搬送ローラ４４及び第２ピンチローラ４４Ｐは、第１搬送ローラ４３及び第１ピンチローラ４３Ｐによって搬送されるシートＳＨをニップし、読取面８Ｂに向けて、すなわち、静止読取位置に停止する読取センサ３Ｓに向けて、そのシートＳＨを搬送する。
【００６９】
排出ローラ４７及び排出ピンチローラ４８は、読取面８Ｂ上を通過して排出ガイド６１によって案内されるシートＳＨをニップし、排出口６９から排出トレイ９６に向けて排出する。
【００７０】
＜第１駆動源、第１駆動列及び第２駆動列の構成＞
図６及び図７等に示すように、自動搬送機構４は、可動板５０及び排出ユニット６０の回動動作を行うための第１駆動源Ｍ１、第１駆動列１１０及び第２駆動列１２０を有している。なお、本実施例では、図６及び図７等において、第１駆動源Ｍ１、第１駆動列１１０及び第２駆動列１２０を構成する各ギヤについて、外周面に形成されたギヤ歯の図示を省略している。
【００７１】
図４に示すように、第１駆動源Ｍ１は、第１ガイド３１と第３ガイド３３との間に配置されている。図６に示すように、第１駆動源Ｍ１は、第１サイドフレーム９Ａの後方を向く面に取り付けられている。第１駆動源Ｍ１の駆動軸は、第１サイドフレーム９Ａよりも前方に突出しており、その駆動軸に駆動ギヤＭ１Ｇが固定されている。本実施例では、第１駆動源Ｍ１は、ステッピングモータである。第１駆動源Ｍ１は、制御部７に制御されて駆動力を発生させ、駆動ギヤＭ１Ｇを図７及び図８の時計方向及び反時計方向に回転させる。
【００７２】
図７及び図８に示す複数の矢印は、駆動ギヤＭ１Ｇが図７及び図８の反時計方向に回転する場合の回転方向を示している。なお、駆動ギヤＭ１Ｇが図７及び図８の時計方向に回転する場合には、図７及び図８に示す各矢印とは逆向きの回転方向となる。
【００７３】
図６及び図７に示すように、第１駆動列１１０及び第２駆動列１２０は、第１サイドフレーム９Ａよりも前方に配置され、第１サイドフレーム９Ａから前向きに突出する複数の軸部に支持されている。
【００７４】
第１駆動列１１０は、第１ギヤ１１１、ギヤ１１２及びアーム１１３を有している。第１ギヤ１１１は、駆動ギヤＭ１Ｇに対して右方かつ上方に位置して駆動ギヤＭ１Ｇと噛み合っている。ギヤ１１２は、第１ギヤ１１１に対して右方かつ下方に位置して第１ギヤ１１１と噛み合っている。アーム１１３は、ギヤ１１２の前方を向く面に固定され、右向きに突出している。
【００７５】
可動板５０は、受動部５３を有している。受動部５３は、可動板５０の裏面の前方かつ左方の角部から前向きに突出した後に屈曲して左向きに突出し、アーム１１３の右端部に上から当接している。
【００７６】
第２駆動列１２０は、第２ギヤ１２１及びギヤ１２２を有している。第２ギヤ１２１は、駆動ギヤＭ１Ｇに対して右方かつ下方に位置して駆動ギヤＭ１Ｇと噛み合っている。ギヤ１２２は、排出ガイド６１の前方の軸部６１Ｓに一体回転可能に固定されている。ギヤ１２２は、第２ギヤ１２１に対して右方かつ下方に位置して第２ギヤ１２１と噛み合っている。ギヤ１２２が回転すると、排出ガイド６１と、排出ガイド６１に支持された排出ローラ４７及び排出ピンチローラ４８とがギヤ１２２と一体で回動する。
【００７７】
第１駆動列１１０と第２駆動列１２０とは、第１駆動源Ｍ１と第１ギヤ１１１及び第２ギヤ１２１との間で分岐して、つまり駆動ギヤＭ１Ｇを分岐点として、並列になっている。本実施例では、第１駆動列１１０及び第２駆動列１２０を構成する第１ギヤ１１１及び第２ギヤ１２１等の各ギヤは、平歯車や斜歯歯車等の一般的な歯車である。
【００７８】
次に、第１駆動列１１０の動作について説明する。第１駆動源Ｍ１が駆動ギヤＭ１Ｇを図７の反時計方向に回転させると、第１ギヤ１１１を含む第１駆動列１１０は、第１駆動源Ｍ１からの駆動力を可動板５０に伝達して、図４等に示す第１位置から図５等に示す第２位置に可動板５０を回動させる。
【００７９】
より詳しくは、第１駆動列１１０において、駆動ギヤＭ１Ｇと噛み合う第１ギヤ１１１が図７の時計方向に回転し、第１ギヤ１１１と噛み合うギヤ１１２が図７の反時計方向に回転し、ギヤ１１２に固定されたアーム１１３の右端部が上昇する。その結果、図８に示すように、可動板５０の受動部５３が押し上げられるので、可動板５０は、その左端部を上向きに変位させるように第３軸心Ｘ３周りに回動し、図５等に示す第２位置に移動する。
【００８０】
また、第１駆動源Ｍ１が駆動ギヤＭ１Ｇを図８の時計方向に回転させると、第１ギヤ１１１を含む第１駆動列１１０は、上記の動作とは逆に動作し、アーム１１３の右端部が下降する。その結果、図７に示すように、可動板５０の受動部５３も下降するので、可動板５０は、その左端部を下向きに変位させるように第３軸心Ｘ３周りに回動し、図４等に示す第１位置に移動する。
【００８１】
次に、第２駆動列１２０の動作について説明する。第１駆動源Ｍ１が駆動ギヤＭ１Ｇを図７の反時計方向に回転させると、第２ギヤ１２１を含む第２駆動列１２０は、第１駆動源Ｍ１からの駆動力を排出ユニット６０に伝達して、図４等に示す第３位置から図５等に示す第４位置に排出ユニット６０を回動させる。
【００８２】
より詳しくは、第２駆動列１２０において、駆動ギヤＭ１Ｇと噛み合う第２ギヤ１２１が図７の時計方向に回転し、第２ギヤ１２１と噛み合うギヤ１２２が図７の反時計方向に回転する。その結果、図８に示すように、排出ガイド６１がギヤ１２２と一体で上向きに回動するので、排出ユニット６０は、排出口６９を上向きに変位させるように第１軸心Ｘ１周りに回動し、図５等に示す第４位置に移動する。
【００８３】
また、第１駆動源Ｍ１が駆動ギヤＭ１Ｇを図８の時計方向に回転させると、第２ギヤ１２１を含む第２駆動列１２０は、上記の動作とは逆に動作し、ギヤ１２２が図８の時計方向に回転する。その結果、図７に示すように、排出ガイド６１がギヤ１２２と一体で下向きに回動するので、排出ユニット６０は、排出口６９を下向きに変位させるように第１軸心Ｘ１周りに回動し、図４等に示す第３位置に移動する。
【００８４】
図４に示すように、可動板５０が第１位置にある状態では、可動板５０の左端部が第１シュート部材３５の規制面３５Ｋの下端部に対向する位置にあり、可動板５０の上面の傾斜角度が供給トレイ本体９２の上面の傾斜角度と略同一となっている。この状態では、供給トレイ９１は、シートＳＨを最大の積層枚数で支持することができる。可動板５０が第１位置にあり、その最大の積層枚数のシートＳＨの最上位のシートＳＨに供給ローラ４１が当接する場合、ホルダ４２Ｆの姿勢は、図４に示す適正な姿勢となる。
【００８５】
図５に示すように、可動板５０が第２位置にある状態では、可動板５０の左端部が第１シュート部材３５の規制面３５Ｋの上端部に対向する位置にあり、可動板５０の上面が第１シュート部材３５の搬送面３５Ｇと同程度の高さで略水平に延びた状態となる。この状態では、供給トレイ９１は、１枚〜数枚程度のシートＳＨを支持する。可動板５０が第２位置にあり、その１枚〜数枚程度のシートＳＨの最上位のシートＳＨに供給ローラ４１が当接する場合、ホルダ４２Ｆの姿勢は、図５に示す適正な姿勢となる。
【００８６】
制御部７は、ホルダ姿勢検知センサ４２Ｊの検知信号に基づいてホルダ４２Ｆの姿勢が図４及び図５に示す適正な姿勢から許容範囲を超えて下降した状態にあると判断した場合、第１駆動源Ｍ１を作動させて、図４等に示す第１位置から図５等に示す第２位置に向けて可動板５０を小刻みに回動させ、ホルダ４２Ｆが図４及び図５に示す適正な姿勢を維持するように制御する。この際、ステッピングモータである第１駆動源Ｍ１の回転角度制御によってアーム１１３の回動姿勢を細かく変化させることで、可動板５０を所望の回動姿勢に精度良く位置決めすることができる。
【００８７】
制御部７が第１駆動源Ｍ１を作動させて可動板５０を小刻みに回動させる際、第１駆動源Ｍ１からの駆動力が第２駆動列１２０によって排出ユニット６０にも伝達される。これにより、排出ユニット６０は、可動板５０の小刻みな回動に同期して、図４等に示す第３位置から図５等に示す第４位置に向けて小刻みに回動する。画像読取装置１は、給紙トレイ９１の可動板５０の回動に応じて排出ユニット６０が回動する構成により、上下方向の小型化を実現している。
【００８８】
図４に示すように、排出ユニット６０が第３位置にある状態では、排出口６９、排出ローラ４７及び排出ピンチローラ４８が排出トレイ９６のシート支持面９６Ａに近い位置にある。この排出ユニット６０の状態は、排出トレイ９６のシート支持面９６Ａに支持されるシートＳＨの枚数が少ない場合に対応している。
【００８９】
図５に示すように、排出ユニット６０が第４位置にある状態では、排出口６９、排出ローラ４７及び排出ピンチローラ４８が排出トレイ９６のシート支持面９６Ａから上方に離間する位置にある。この排出ユニット６０の状態は、排出トレイ９６のシート支持面９６ＡにシートＳＨが最大の積層枚数で支持される場合に対応している。つまり、この状態では、排出ユニット６０の排出口６９がシート支持面９６Ａに最大の積層枚数で支持されるシートＳＨの最上位のシートＳＨから上方に充分に離間している。
【００９０】
＜突き当て面、第１壁、第２壁、第２壁ガイド及びリブの構成＞
図４〜図１０に示すように、自動搬送機構４は、排出ユニット６０に設けられた第１壁７０及び第２壁８０を有している。また、自動搬送機構４は、第１壁７０の第１移動面７１及び第２壁８０の第２移動面８２を有して構成される突き当て面６８を有している。そして、突き当て面６８は、排出トレイ９６のシート支持面９６Ａに支持されたシートＳＨが排出方向Ｄ１の上流側に向けて位置ずれしそうな場合にそのシートＳＨを当て止めるようになっている。
【００９１】
より詳しくは、図７〜図１０に示すように、第１壁７０は、排出ガイド６１における排出口６９側の端部、すなわち右端部から下向きに突出し、かつ前後方向に略矩形平板状に延びている。図７に示すように、第１壁７０の上端は、排出ローラ４７と排出ピンチローラ４８とのニップ位置の近傍で排出ガイド６１の右端部に接続している。第１壁７０の突出方向は、搬送面６１Ｇ及び案内面６１Ｈが延びる方向に略直交している。本実施例では、第１壁７０が排出ガイド６１に一体に形成されているが、別部品である第１壁７０を排出ガイド６１に取り付けることもできる。
【００９２】
図９に示すように、第１壁７０には、逃げ部７８が形成されている。逃げ部７８は、排出ピンチローラ４８の下端に対向する位置で第１壁７０の上端から下向きに凹む略矩形状の凹部である。排出ピンチローラ４８の下端側は、逃げ部７８に進入している。
【００９３】
図７〜図１０に示すように、第１壁７０は、第１移動面７１を有している。第１移動面７１は、第１壁７０における排出方向Ｄ１を向く平面である。第１移動面７１は、排出トレイ９６におけるシート支持面９６Ａと排出口６９との間に位置している。第１壁７０及び第１移動面７１は、排出ユニット６０が第３位置から第４位置に向けて移動するときに排出ユニット６０とともに上方に移動可能である。
【００９４】
自動搬送機構４は、ベース部材３９に設けられたリブ９９を有している。リブ９９は、シート支持面９６Ａよりも排出方向Ｄ１の上流側で上向きに突出し、かつ前後方向に延びている。
【００９５】
図４及び図７に示すように、排出ユニット６０が第３位置にある状態で、第１移動面７１の下端は、リブ９９の上端に対して僅かな隙間を有して対向している。この状態で、リブ９９は、第１移動面７１の下端よりも排出方向Ｄ１の下流側に位置している。
【００９６】
図５及び図８に示すように、排出ユニット６０が第４位置にある状態で、第１移動面７１の下端は、リブ９９の上端から上方に離間している。この状態でも、リブ９９は、第１移動面７１の下端よりも排出方向Ｄ１の下流側に位置している。
【００９７】
図７〜図１０に示すように、第２壁８０は、略矩形平板形状部材である。図９に示すように、第２壁８０は、前方の連結部８５Ａ及び後方の連結部８５Ｂによって、前後方向に延びる回動軸心Ｘ８０周りに回動可能に第１壁７０の下端に連結されている。
【００９８】
図７及び図８等に示すように、排出ユニット６０が第３位置から第４位置に向けて移動するときに、第１壁７０及び第１移動面７１が排出ユニット６０とともに上方に移動すると、第２壁８０も第１壁７０及び第１移動面７１に追従する。
【００９９】
図６及び図９に示すように、第２壁８０は、突起８８Ａ、８８Ｂを有している。前方の突起８８Ａは、第２壁８０における回動軸心Ｘ８０とは反対側、かつ前方の角部から前向きに突出する円柱軸である。後方の突起８８Ｂは、第２壁８０における回動軸心Ｘ８０とは反対側、かつ後方の角部から後向きに突出する円柱軸である。
【０１００】
第１サイドフレーム９Ａ及び第２サイドフレーム９Ｂには、第２壁ガイド９８が設けられている。第２壁ガイド９８は、ガイド溝９８Ａ、９８Ｂを有している。前方のガイド溝９８Ａは、第１サイドフレーム９Ａの後方を向く側面から前向きに凹む溝である。前方のガイド溝９８Ａには、第２壁８０の前方の突起８８Ａが摺動可能に進入している。後方のガイド溝９８Ｂは、第２サイドフレーム９Ｂの前方を向く側面から後向きに凹む溝である。後方のガイド溝９８Ｂには、第２壁８０の後方の突起８８Ｂが摺動可能に進入している。
【０１０１】
図７及び図８に示すように、前後方向に沿って見て、ガイド溝９８Ａ、９８Ｂにおける排出方向Ｄ１の上流側の端部は、リブ９９から排出方向Ｄ１の上流側に離間した位置、かつリブ９９の上端よりも下方の位置に配置されている。ガイド溝９８Ａ、９８Ｂにおける排出方向Ｄ１の下流側の端部は、リブ９９の上端に対して排出方向Ｄ１の上流側から隣接する位置、かつリブ９９の上端と略同じ高さの位置に配置されている。ガイド溝９８Ａ、９８Ｂは、排出方向Ｄ１の上流側の端部から排出方向Ｄ１に向かって略水平に延びた後に上向きに湾曲して、排出方向Ｄ１の下流側の端部に至る。
【０１０２】
このような構成である第２壁ガイド９８は、第２壁８０が第１壁７０及び第１移動面７１に追従するときに、第２壁８０の突起８８Ａ、８８Ｂがガイド溝９８Ａ、９８Ｂ内を摺動することによって、第２壁８０を案内する。その結果、第２壁８０は、以下に説明するように、姿勢変化する。
【０１０３】
すなわち、図７に示すように、排出ユニット６０が第３位置にある状態では、第２壁８０における回動軸心Ｘ８０側の端部は、第１移動面７１の下端とともにリブ９９の上端に対して僅かな隙間を有して対向している。第２壁８０における回動軸心Ｘ８０とは反対側の端部は、突起８８Ａ、８８Ｂがガイド溝９８Ａ、９８Ｂにおける排出方向Ｄ１の上流側の端部に位置することにより、リブ９９から排出方向Ｄ１の上流側に離間した位置、かつリブ９９の上端よりも下方の位置にある。つまり、排出ユニット６０が第３位置にある状態では、第２壁８０が倒伏する姿勢となる。図４、図６及び図９でも、図７と同様に、第２壁８０が倒伏する姿勢となっている。
【０１０４】
その一方、図８に示すように、排出ユニット６０が第４位置にある状態では、第２壁８０における回動軸心Ｘ８０側の端部は、第１移動面７１の下端とともにリブ９９の上端から上方に離間している。第２壁８０における回動軸心Ｘ８０とは反対側の端部は、突起８８Ａ、８８Ｂがガイド溝９８Ａ、９８Ｂにおける排出方向Ｄ１の下流側の端部に位置することにより、リブ９９の上端に対して排出方向Ｄ１の上流側から隣接する位置、かつリブ９９の上端と略同じ高さの位置にある。つまり、排出ユニット６０が第４位置にある状態では、第２壁８０が第１壁７０よりも下方で起立する姿勢となる。図５及び図９でも、図８と同様に、第２壁８０が第１壁７０よりも下方で起立する姿勢となっている。
【０１０５】
図示は省略するが、排出ユニット６０が第３位置と第４位置との中間にある状態では、突起８８Ａ、８８Ｂがガイド溝９８Ａ、９８Ｂの中間部に位置することにより、第２壁８０が図７に示すように倒伏する姿勢と、図８に示すように起立する姿勢との中間の姿勢となる。
【０１０６】
第２壁８０は、第２移動面８２を有している。第２移動面８２は、図７に示す倒伏する姿勢となっている第２壁８０における下を向く平面であり、また、図８に示す起立する姿勢となっている第２壁８０における排出方向Ｄ１を向く平面である。つまり、第２移動面８２は、第１移動面７１に追従することにより、図７に示す倒伏する位置から、図８に示す第１移動面７１よりも下方で起立する位置に移動可能である。
【０１０７】
図７及び図８に示すように、リブ９９は、第２移動面８２の移動にかかわらず、第２移動面８２よりも排出方向Ｄ１の下流側に位置している。
【０１０８】
このような第１移動面７１及び第２移動面８２を有して構成される突き当て面６８は、排出トレイ９６におけるシート支持面９６Ａと排出口６９との間に位置し、シートＳＨが排出トレイ９６に排出される排出方向Ｄ１を向いている。
【０１０９】
図７に示すように、排出ユニット６０が第３位置にあり、第２移動面８２が倒伏する位置にある状態では、突き当て面６８によるシート支持面９６Ａに支持されたシートＳＨを当て止める作用は、第１移動面７１によって発揮される。この際、突き当て面６８よりも排出方向Ｄ１の下流側に位置するリブ９９は、第１移動面７１の下端とシート支持面９６Ａとの隙間を覆う。そして、リブ９９は、突き当て面６８と協働して、シート支持面９６Ａに支持されたシートＳＨを当て止める。
【０１１０】
図８に示すように、排出ユニット６０が第４位置にあり、第２移動面８２が第１移動面７１よりも下方で起立する位置にある状態では、突き当て面６８によるシート支持面９６Ａに支持されたシートＳＨを当て止める作用は、第１移動面７１及び第２移動面８２によって発揮される。この際にも、リブ９９は、第２移動面８２における回動軸心Ｘ８０とは反対側の端部とシート支持面９６Ａとの隙間を覆う。そして、リブ９９は、突き当て面６８と協働して、シート支持面９６Ａに支持されたシートＳＨを当て止める。
【０１１１】
図示は省略するが、排出ユニット６０が第３位置と第４位置との中間にあり、第２移動面８２が図７に示す倒伏する位置と、図８に示す起立する位置との中間位置にある状態では、突き当て面６８によるシート支持面９６Ａに支持されたシートＳＨを当て止める作用は、主に第１移動面７１によって発揮され、姿勢変化する途中の第２移動面８２が第１移動面７１を補助する。この際にも、リブ９９は、第２移動面８２における回動軸心Ｘ８０とは反対側の端部とシート支持面９６Ａとの隙間を覆う。そして、リブ９９は、突き当て面６８と協働して、シート支持面９６Ａに支持されたシートＳＨを当て止める。
【０１１２】
＜画像読取動作＞
この画像読取装置１では、原稿支持面８Ａに支持された原稿の画像を読み取る場合、制御部７が読取ユニット３の走査機構駆動源３Ｍを制御して図示しない走査機構を作動させ、読取センサ３Ｓを原稿支持面８Ａの左端縁の下方である読取開始位置から右端縁の下方である読取終了位置までの間で左右方向に移動させる。これにより、読取センサ３Ｓは、原稿支持面８Ａに支持された原稿の画像を読み取る。その後、制御部７は、読取ユニット３の走査機構駆動源３Ｍを制御して図示しない走査機構を逆向きに作動させ、読み取りを終えた読取センサ３Ｓを読取ユニット３内における右端から左端に移動させて待機位置に復帰させる。
【０１１３】
また、この画像読取装置１では、供給トレイ９１に支持されたシートＳＨを自動搬送機構４によって搬送し、そのシートＳＨの画像を読み取る場合、制御部７が読取ユニット３の走査機構駆動源３Ｍを制御して図示しない走査機構を作動させ、読取センサ３Ｓを読取面８Ｂの下方である静止読取位置に停止させる。ここでは、可動板５０が図４等に示す第１位置にあり、排出ユニット６０が図４等に示す第３位置があり、排出トレイ９６にシートＳＨが支持されていない状態を前提とする。
【０１１４】
次に、制御部７は、ホルダ姿勢検知センサ４２Ｊの検知信号に基づいて、ホルダ姿勢検知センサ４２Ｊが図４及び図５に示す適正な姿勢となっているか否かを判断する。制御部７は、ホルダ姿勢検知センサ４２Ｊが図４及び図５に示す適正な姿勢となっていない場合、第１駆動源Ｍ１、第１駆動列１１０及び第２駆動列１２０を作動させる。そして、制御部７は、図４等に示す第１位置から図５等に示す第２位置に向けて可動板５０を小刻みに回動させ、ホルダ４２Ｆが図４及び図５に示す適正な姿勢を維持するように制御する。この際、排出ユニット６０も、可動板５０の小刻みな回動に同期して、図４等に示す第３位置から図５等に示す第４位置に向けて小刻みに回動する。
【０１１５】
次に、制御部７は、第２駆動源Ｍ２及び搬送駆動列１３０を作動させる。これにより、制御部７は、供給ローラ４１、分離ローラ４２、第１搬送ローラ４３、第２搬送ローラ４４及び排出ローラ４７を駆動し、供給トレイ９１に支持されたシートＳＨを搬送ガイド３０に供給し、搬送ガイド３０に沿って順次搬送する。制御部７は、搬送されるシートＳＨが読取面８Ｂ上を通過する際、静止読取位置に停止した読取センサ３Ｓによって、そのシートＳＨの画像を読み取る。そして、制御部７は、画像が読み取られたシートＳＨを排出ユニット６０の排出ガイド６１、排出ローラ４７及び排出ピンチローラ４８によって排出口６９から排出トレイ９６に向けて排出する。
【０１１６】
この間も、制御部７は、ホルダ姿勢検知センサ４２Ｊの検知信号に基づき、供給トレイ９１に支持されたシートＳＨの減少に応じて、図５等に示す第２位置に向けて可動板５０を小刻みに回動させ、排出ユニット６０を図５等に示す第４位置に向けて小刻みに回動させる。
【０１１７】
排出ユニット６０が図５等に示す第４位置に向けて回動するのに伴って、図７〜図１０に示すように、第１壁７０の第１移動面７１が上昇する。また、第２壁８０の第２移動面８２が第１移動面７１に追従し、図７に示す倒伏する位置から、図８に示す第１移動面７１よりも下方で起立する位置に向けて移動する。
【０１１８】
排出トレイ９６のシート支持面９６Ａに支持されるシートＳＨの積層枚数が少ない状態では、図７及び図９に示すように、排出口６９が低い位置にあって、第２移動面８２が図７に示す倒伏する位置にあるか、又はその位置の近くにある。この場合、突き当て面６８は、主に第１移動面７１によって、シート支持面９６Ａに支持されたシートＳＨを当て止める。
【０１１９】
排出トレイ９６のシート支持面９６Ａに支持されるシートＳＨの積層枚数が多くなると、図８及び図１０に示すように、排出口６９が高い位置に移動し、第２移動面８２が図８に示す起立する位置まで、又はその位置の近くまで移動する。この場合、突き当て面６８は、第１移動面７１及び第２移動面８２の協働によって、シート支持面９６Ａに支持されたシートＳＨを当て止める。
【０１２０】
図５に示すように、供給トレイ９１に支持されたシートＳＨが少なくなり、さらにシートＳＨが無くなると、制御部７は、第２駆動源Ｍ２を停止して画像読取動作を終了する。
【０１２１】
その後、制御部７は、読取ユニット３の走査機構駆動源３Ｍを制御して図示しない走査機構を作動させ、読取センサ３Ｓを待機位置に復帰させる。また、制御部７は、排出トレイ９６にシートＳＨが支持されていないことを図示しない検知手段によって確認した後、第１駆動源Ｍ１、第１駆動列１１０及び第２駆動列１２０を作動させて、可動板５０を図４等に示す第１位置に復帰させ、排出ユニット６０を図４等に示す第３位置に復帰させる。
【０１２２】
それに伴って、第１移動面７１が下降する。また、第２移動面８２が第１移動面７１に追従し、図７に示す倒伏する位置に復帰する。
【０１２３】
＜作用効果＞
実施例の画像読取装置１では、図４、図７及び図９に示すように、第１移動面７１が上方に移動していないとき、第２移動面８２が倒伏する位置にある。この状態では、突き当て面６８は、主に第１移動面７１によってシート支持面９６Ａに支持されたシートＳＨを当て止める。
【０１２４】
その一方、図５、図８及び図１０に示すように、第１移動面７１が排出ユニット６０とともに上方に移動するとき、第２移動面８２が第１移動面７１よりも下方で起立する位置に移動する。この状態では、突き当て面６８は、第１移動面７１及び第２移動面８２の協働によってシート支持面９６Ａに支持されたシートＳＨを当て止める。
【０１２５】
こうして、突き当て面６８は、排出トレイ９６のシート支持面９６Ａに支持されたシートＳＨが排出方向Ｄ１の上流側に向けて位置ずれすることを抑制できる。
【０１２６】
ここで、この画像読取装置１では、第２移動面８２が図７等に示す倒伏する位置と、図８等に示す起立する位置との間で移動する構成により、排出トレイ９６よりも下方に、第２移動面８２が進入する収容スペースを設ける必要性が低下するので、排出トレイ９６よりも下方に位置する部分を薄くできる。具体的には、図５に示すように、シート支持面９６Ａにおける排出方向Ｄ１の上流側の端縁よりも下方に位置する部分の厚みＴ１を薄くできる。
【０１２７】
したがって、実施例の画像読取装置１では、上下方向の小型化を実現できる。
【０１２８】
また、この画像読取装置１では、図７〜図１０に示すように、回動する排出ユニット６０に設けられた第１壁７０が第１移動面７１を有し、第１壁７０に連結された第２壁８０が第２移動面８２を有する構成により、突き当て面６８の第１移動面７１及び第２移動面８２が効果的に協働できる。
【０１２９】
さらに、この画像読取装置１では、第２壁８０が回動軸心Ｘ８０周りに回動し、第２壁８０が移動するときに第２壁ガイド９８が第２壁８０を案内する構成によって、第２移動面８２を図７等に示す倒伏する位置と、図８等に示す起立する位置との間で好適に移動させることができる。特に、第２壁８０が図８等に示す起立する位置から、図７等に示す倒伏する位置に移動する際に、第２壁８０がつっぱる状態で止まる不具合を抑制できる。その結果、この画像読取装置１では、第１移動面７１と第２移動面８２との相対位置関係を精度良く規制することができる。また、図８等に示す起立する位置にある第２壁８０がユーザの指などによって意図せず押されても、第２壁ガイド９８が第２壁８０を位置決めしていることにより、第２壁８０の押し込みを防止できる。
【０１３０】
また、この画像読取装置１では、図７〜図１０に示すように、第２壁８０が突起８８Ａ、８８Ｂを有し、第２壁ガイド９８がガイド溝９８Ａ、９８Ｂを有する構成により、簡素化及び部品点数の削減を実現できる。
【０１３１】
さらに、この画像読取装置１では、第１壁７０が排出ガイド６１における排出口６９側の端部、すなわち右端部に一体に形成された構成により、簡素化及び部品点数の削減を実現できる。
【０１３２】
また、この画像読取装置１では、突き当て面６８に隣接する位置でシート支持面９６Ａから上向きに突出するリブ９９がシート支持面９６Ａと突き当て面６８との隙間を覆うので、その隙間にシートＳＨが入り込むことを抑制できる。
【０１３３】
さらに、この画像読取装置１では、突き当て面６８よりも排出方向Ｄ１の下流側に位置するリブ９９によって、図７等に示す倒伏する位置から、図８等に示す起立する位置に向けて移動する第２移動面８２がシート支持面９６ＡにされるシートＳＨを排出方向Ｄ１の下流側に向けて押し出すことを抑制できる。
【０１３４】
以上において、本発明を実施例に即して説明したが、本発明は上記実施例に制限されるものではなく、その趣旨を逸脱しない範囲で適宜変更して適用できることはいうまでもない。
【０１３５】
例えば、実施例では、可動板５０が回動するがこの構成には限定されず、例えば直動してもよい。排出ユニットについても同様である。
【０１３６】
実施例では、第２壁ガイド９８がガイド溝９８Ａ、９８Ｂを有しているがこの構成には限定されない。例えば、第２壁ガイドは、フレーム部材と第２壁とを連結するリンクロッドを含んでいてもよい。
【産業上の利用可能性】
【０１３７】
本発明は例えば、画像読取装置又は複合機等に利用可能である。
【符号の説明】
【０１３８】
１…画像読取装置、ＳＨ…シート、９１…供給トレイ、９６…排出トレイ
３０…搬送ガイド、３Ｓ…読取センサ、５０…可動板、６９…排出口
６０…排出ユニット、９６Ａ…シート支持面、Ｄ１…排出方向
６８…突き当て面、７１…第１移動面、８２…第２移動面
４７…排出ローラ、６１…排出ガイド、７０…第１壁、８０…第２壁
９Ａ、９Ｂ…フレーム部材（９Ａ…第１サイドフレーム、９Ｂ…第２サイドフレーム）
Ｘ８０…回動軸心、９８…第２壁ガイド、８８Ａ、８８Ｂ…第２壁の突起
９８Ａ、９８Ｂ…ガイド溝、９９…リブ
【図１】
2019147648.tif 000003
【図２】
2019147648.tif 000004
【図３】
2019147648.tif 000005
【図４】
2019147648.tif 000006
【図５】
2019147648.tif 000007
【図６】
2019147648.tif 000008
【図７】
2019147648.tif 000009
【図８】
2019147648.tif 000010
【図９】
2019147648.tif 000011
【図１０】
2019147648.tif 000012